(57)【要約】【課題】営業時間帯にはバックヤードから集荷物の回収を可能とし、営業時間外にはロッカー内に集荷物を貯蔵可能とした集荷物投入ロッカーに関する。【解決手段】集荷物投入ロッカー１正面の集荷物投入口６には投入口扉９が設けられ、バックヤード側に面した集荷物投入ロッカー１背面には集荷物投入口６と連通する集荷物取出口１１が開口され、集荷物投入ロッカー１の内部には集荷物取出口１１を閉鎖可能で、かつ傾斜配置が可能なガイド板１３が配置され、前記集荷物投入ロッカー１は、（ｉ）ガイド板１３で集荷物取出口１１を閉鎖してロッカー１内部に集荷物８を貯蔵可能とした状態と、（ｉｉ）ガイド板１３を傾斜配置し、集荷物８をバックヤード４側に排出可能とした状態、の２つの状態を選択可能であることを特徴とする集荷物投入ロッカー。【選択図】　図５
2004136025.tif 000002
【特許請求の範囲】
【請求項１】
仕切り壁と一体となって店舗スペースとバックヤードとを区画する集荷物投入ロッカーであって、店舗スペースに面した前記集荷物投入ロッカー正面の集荷物投入口には、前記店舗スペース内に配置された荷物等自動管理ロッカー装置の制御部によって施錠が制御される投入口扉が設けられ、バックヤード側に面した前記集荷物投入ロッカー背面には前記集荷物投入口と連通する集荷物取出口が開口され、前記集荷物投入ロッカーの内部には前記集荷物取出口を閉鎖可能なガイド板が配置され、前記ガイド板は、一辺を前記集荷物取出口の下縁部近傍に配置し、他の一辺を投入口側の斜め上方に向けて配置した傾斜配置が可能であって、
前記集荷物投入ロッカーは、（ｉ）前記ガイド板で集荷物取出口を閉鎖してロッカー内部に集荷物を貯蔵可能とした状態と、（ｉｉ）前記ガイド板を傾斜配置し、前記ガイド板によって前記集荷物を前記集荷物取出口に誘導して前記バックヤード側に排出可能とした状態、の２つの状態を選択可能であることを特徴とする荷物等自動管理ロッカー装置の集荷物投入ロッカー。
【請求項２】
ガイド板の一辺が前記集荷物取出口の下縁部近傍に設けられたヒンジによって開閉可能に支持されてなることを特徴とする請求項１に記載の荷物等自動管理ロッカー装置の集荷物投入ロッカー。
【請求項３】
仕切り壁と一体となって店舗スペースとバックヤードとを区画する集荷物投入ロッカーであって、店舗スペースに面した前記集荷物投入ロッカー正面の集荷物投入口には、前記店舗スペース内に配置された荷物等自動管理ロッカー装置の制御部によって施錠が制御される投入口扉が設けられ、バックヤード側に面した前記集荷物投入ロッカー背面には前記集荷物投入口と連通する集荷物取出口が開口され、前記集荷物取出口は背面扉によって閉鎖可能に構成されていることを特徴とする荷物等自動管理ロッカー装置の集荷物投入ロッカー。
【請求項４】
集荷物投入ロッカーの内部に集荷物投入量の感知手段を設けたことを特徴とする請求項１から請求項３のいずれか１項に記載の荷物等自動管理ロッカー装置の集荷物投入ロッカー。
【請求項５】
集荷物投入口の下側には折り返し部を有する仕切り板が設けられていることを特徴とする請求項１から請求項４のいずれか１項に記載の荷物等自動管理ロッカー装置の集荷物投入ロッカー。
【請求項６】
集荷物投入ロッカーの内部に、集荷物貯蔵部と独立したＤＰＥ回収部が設けられていることを特徴とする請求項１から請求項５のいずれか１項に記載の荷物等自動管理ロッカー装置の集荷物投入ロッカー。
【発明の詳細な説明】
【０００１】
【発明の属する技術分野】
本発明は荷物等自動管理ロッカー装置と併設され、クリーニング品などの集荷物が投入される集荷物投入ロッカーにおいて、特に店舗の営業時間帯にはバックヤード（従業員専用スペース）から集荷物の回収を可能とし、営業時間外にはロッカー内に集荷物を貯蔵可能とした集荷物投入ロッカーに関する。
【０００２】
【従来の技術】
マンション等の共同住宅のエントランス部分などに設置され、宅配物の自動受け渡しを可能とする荷物等自動管理ロッカー装置は、従来から広く使用されている。また荷物等自動管理ロッカー装置には、クリーニング品や写真フィルムなどを回収する集荷物投入ロッカーを併設して、クリーニングやＤＰＥなどのサービスによって付加価値を向上させることも一般的に行なわれている。
【０００３】
出願人は、このような荷物等自動管理ロッカー装置について、既に特願２００１−２９５３２９を出願している。この出願には、制御部によって施錠が制御された洗濯物等の出荷用ロッカーが開示されており、顧客が上段ロッカーの前面扉から投入した洗濯物を、集配業者が下段ロッカーの前面扉を開けて集荷する構造となっている。
【０００４】
上記の集荷物投入ロッカーは店舗の一角に設置して無人で運用することを想定したもので、次の問題点を有している。
（１）集荷物をロッカー内に大量に溜め込むことができない。
（２）ロッカーの運用効率を高めるためには、集荷物を定期的あるいは頻繁に回収しなければならない。
（３）集荷物回収のための開口が前面に設置され、かつ扉が前開きであるため、集荷物回収時に扉を開くと店舗内のスペースを取り、また回収時にはロッカー前が集荷物で雑然とする。
（４）近時、図２のような店舗設計において、昼間には従業員を配置するが、夜間は無人でロッカーを使用する運用が要望されている。しかし、この場合に回収のためのロッカー開口を前面側に設けた構造にすると、前記（１）（２）（３）の問題が解決しない。更に、顧客と従業員がロッカー前で交錯するため、両者ともに作業性が悪い。
（５）前項の店舗設計で運用する場合、以上の問題を解決し且つ夜間の無人状態におけるバックヤードの防犯性を確保できるロッカーは従来存在しなかった。ここで防犯性とは、ロッカーの開口からバックヤードに危険物を投入したり、開口からの進入等を出来難くすることである。
【０００５】
【特許文献１】
特願２００１−２９５３２９　明細書
【０００６】
【発明が解決しようとする課題】
本発明は前記従来技術の欠点を除くためにされたものであり、その目的は、通常の営業時間帯にバックヤードから集荷物の回収を可能とすることで、▲１▼ロッカー内に集荷物を溜め込むことなく、▲２▼集荷物回収の手間を抑え、▲３▼回収時の作業性を向上させた集荷物投入ロッカーを提供することである。
【０００７】
また本発明の他の目的は、夜間の無人状態におけるロッカーの運用にも対応し、かつ夜間の無人状態におけるバックヤードの防犯性を確保できる集荷物投入ロッカーを提供することである。
【０００８】
【課題を解決するための手段】
（１）　第１の発明は、仕切り壁２と一体となって店舗スペース３とバックヤード４（従業員専用スペース）とを区画する集荷物投入ロッカー１であって、店舗スペース３に面した前記集荷物投入ロッカー１正面の集荷物投入口６には、前記店舗スペース３内に配置された荷物等自動管理ロッカー装置１０の制御部１０ａによって施錠が制御される投入口扉９が設けられ、バックヤード４側に面した前記集荷物投入ロッカー１背面には前記集荷物投入口６と連通する集荷物取出口１１が開口され、前記集荷物投入ロッカー１の内部には前記集荷物取出口１１を閉鎖可能なガイド板１３が配置され、前記ガイド板１３は、一辺を前記集荷物取出口１１の下縁部近傍に配置し、他の一辺を投入口６側の斜め上方に向けて配置した傾斜配置が可能であって、
前記集荷物投入ロッカー１は、（ｉ）前記ガイド板１３で集荷物取出口１１を閉鎖してロッカー１内部に集荷物８を貯蔵可能とした状態と、（ｉｉ）前記ガイド板１３を傾斜配置し、前記ガイド板１３によって前記集荷物８を前記集荷物取出口１１に誘導して前記バックヤード４側に排出可能とした状態、の２つの状態を選択可能であることを特徴とする荷物等自動管理ロッカー装置１０の集荷物投入ロッカー１である。
（２）　第２の発明は、第１の発明において、ガイド板１３の一辺が前記集荷物取出口１１の下縁部近傍に設けられたヒンジ１４によって開閉可能に支持されてなることを特徴とする。
（３）　第３の発明は、仕切り壁２と一体となって店舗スペース３とバックヤード４とを区画する集荷物投入ロッカー１であって、店舗スペース３に面した前記集荷物投入ロッカー１正面の集荷物投入口６には、前記店舗スペース３内に配置された荷物等自動管理ロッカー装置１０の制御部１０ａによって施錠が制御される投入口扉９が設けられ、バックヤード４側に面した前記集荷物投入ロッカー１背面には前記集荷物投入口６と連通する集荷物取出口１１が開口され、前記集荷物取出口１１は背面扉１９によって閉鎖可能に構成されていることを特徴とする荷物等自動管理ロッカー装置１０の集荷物投入ロッカー１である。
（４）　第４の発明は、第１から第３の発明において、集荷物投入ロッカー１の内部に集荷物投入量の感知手段１５を設けたことを特徴とする。
（５）　第５の発明は、第１から第４の発明において、集荷物投入口６の下側には折り返し部５ａを有する仕切り板５が設けられていることを特徴とする。
（６）　第６の発明は、第１から第５の発明において、集荷物投入ロッカー１の内部に、集荷物貯蔵部７と独立したＤＰＥ回収部１６が設けられていることを特徴とする。
【０００９】
なお、本明細書における「仕切り壁」は、バックヤードとロッカースペースとを実質的に仕切るものであればよく、壁であることは要さない。例えば、パーテーション、シャッター、収納棚、ショーケース等も本発明の仕切り壁として想定される。
【００１０】
【発明の実施の形態】
＜第１実施形態＞
以下、本発明の集荷物投入ロッカーの第１実施形態について、図面を参照しつつ説明する。図１および図２に示すように、本発明の集荷物投入ロッカー１は仕切り壁２と一体となって店舗スペース３とバックヤード（従業員専用スペース）４とを区画しており、ロッカー１の正面側が店舗スペース３に面し、かつ背面側がバックヤード４に面する状態で設置される。図２の符号１７はシャッターであり、昼間従業員が居る時は開かれ、店舗スペース（３および３ａ）は１つの連続した空間を形成している。一方、従業員のいない夜間などの時間帯には、シャッター１７が閉じられて、出入り口以外ロッカースペース３ａは閉ざされた空間となる。
【００１１】
次に第１実施形態の集荷物投入ロッカー１の構造について述べる。第１実施形態の集荷物投入ロッカー１は中空の長方形箱体であって、ロッカー１内部が正面側手前に設けられた仕切り板５によって上下に区画され、仕切り板の上側が集荷物投入口６となり、仕切り板の下側が集荷物貯蔵部７となっている。集荷物投入口６と集荷物貯蔵部７とは仕切り板５の奥に位置する開口部で連通しており、集荷物投入口６から投入した集荷物８は集荷物貯蔵部７に向けて落下するようになっている。なお仕切り板５の端部には折り返し部５ａが形成されており、投入した集荷物８が集荷物投入口６から取り出せないように構成されている。
【００１２】
集荷物投入口６の正面側には電気錠が取り付けられた投入口扉９が取り付けられている。この投入口扉９の施錠・開錠は、荷物等自動管理ロッカー装置１０の制御部１０ａによって制御されており、荷物等自動管理ロッカー装置１０を利用できる顧客以外は開閉できないようになっている。
【００１３】
また集荷物貯蔵部７の背面側には集荷物取出口１１が開口されており、バックヤード４から集荷物８が取り出せるように構成されている。一方、集荷物貯蔵部７の正面側には専用錠を備えた下側扉１２が取り付けられており、鍵を有する従業員が下側扉１２を開放することによって溜め込まれた集荷物８をロッカー１正面からも回収できるようになっている。
【００１４】
さらに、集荷物貯蔵部７の内部には前記集荷物取出口１１を閉鎖可能な矩形のガイド板１３が配置されている。このガイド板１３の一辺は集荷物取出口１１の下縁部近傍に設けられたヒンジ１４に連結されており、集荷物取出口１１を開閉動可能なようにロッカー１内でピン支持されている。またこのガイド板１３は、他の一辺を投入口側斜め上方に向けた傾斜状態で固定できるように構成されている。
【００１５】
すなわち、ガイド板１３はロッカー１内において、前記の傾斜状態と、集荷物取出口１１に沿った直立状態との２つの位置で固定することができる。そして、ガイド板１３が前記傾斜状態の場合には、集荷物投入口６から投入された集荷物８はガイド板１３を滑り降りて集荷物取出口１１を通過し、バックヤード４に排出される。一方、ガイド板１３が前記直立状態の場合には集荷物取出口１１がガイド板１３によって閉鎖され、集荷物投入口６から投入された集荷物８は集荷物貯蔵部７に溜め込まれる。なお、ガイド板１３を直立状態にして荷物取出口を閉じた場合、ロックしてガイド板が棒等によって簡単に押し開けられないようにすることが好ましい［図示を省略する］。これによって防犯性を確保することができる。
【００１６】
また、集荷物貯蔵部７の上側には集荷物投入量の感知手段１５が設けられており、集荷物が感知手段１５の取り付け位置まで到達したか否か（ロッカー１内の集荷物８が満杯か否か）が判断できるように構成されている。そして、ロッカー１内の集荷物８が満杯の場合には、感知手段１５は荷物等自動管理ロッカー装置１０の制御部１０ａに信号を出力することで該制御部１０ａが投入口扉９を開錠不可の状態とし、これ以上の集荷物８の投入ができないようにすることができる。なお、感知手段１５は、例えば、発光素子と受光素子とを組み合わせた光学センサや、マイクロスイッチなどの公知のセンサを適宜用いて構成される。
【００１７】
さらに、集荷物投入ロッカー１の内部には集荷物貯蔵部７と独立したＤＰＥ回収部１６が設けられている。このＤＰＥ回収部１６は下側扉１２の裏面にコ字形側板を取り付けて、受け底１６ａを分割して回転可能に構成したものである。またＤＰＥ回収部１６の上側に位置する仕切り板５には、写真フィルムを入れた袋を投入可能なＤＰＥ投入口が設けられており、このＤＰＥ投入口には回転蓋５ｂが取り付けられている。なお、ＤＰＥ回収部１６の構成は上記に限定されることなく、例えば回収袋を仕切り板のＤＰＥ投入口の下に取り付けるなど、適宜変更することができる。
【００１８】
本発明の集荷物投入ロッカー１は上記のように構成されており、以下その運用を洗濯物の集荷を例として説明する。図１、図２は、本発明の集荷物投入ロッカー１および荷物等自動管理ロッカー装置１０を設置した店舗の参考図である。店舗内は顧客が出入りする店舗スペース３と、従業員のみ通行可能なバックヤード４とに大別されている。また店舗スペース３は、夜間などの従業員がいない無人状態でも顧客が出入りできるロッカースペース３ａと、直接従業員がカウンター２０で受け付けるスペースとがシャッター１７等で区画できるようになっており、店舗の営業時間外においても集荷物８の投入が可能となっている。
【００１９】
本発明の集荷物投入ロッカー１は、荷物等自動管理ロッカー装置１０と一体となって運用され、集荷物投入ロッカー１および荷物等自動管理ロッカー装置１０は、店舗スペース３の一部であるロッカースペース３ａに設置されている。そして、集荷物投入ロッカー１は仕切り壁２と一体となってロッカースペース３ａとバックヤード４とを区画している。集荷物投入ロッカー１は、正面側がロッカースペース３ａに面し、かつ背面側がバックヤード４に面する状態で店舗内に設置される。
【００２０】
顧客が集荷物投入ロッカー１を利用しようとする場合、顧客は予め所定事項（氏名、住所、登録番号、洗濯物の種類、材質など）を記入したラベルを貼った集荷バック８に洗濯物を詰め込んでおく。
【００２１】
そして顧客は荷物等自動管理ロッカー装置１０の制御部１０ａに設けられたタッチパネル１０ｂを操作して、会員認証等を行なった後に集荷物投入ロッカー１の投入口扉９の開錠動作を行なう。荷物等自動管理ロッカー装置１０の制御部１０ａは、集荷物貯蔵部７の感知手段１５からの信号入力がない場合（ロッカー１内が満杯ではない場合）には、投入口扉９の電気錠を開錠する信号を出力する。これにより顧客は投入口扉９を手動で開けて、集荷物投入口６から集荷バック８を投入することができる。
【００２２】
また従業員のいる時間帯には、集荷物投入ロッカー１のガイド板１３は傾斜状態で配置され、集荷物投入口６から投入された集荷バック８はガイド板１３を滑り降りて集荷物取出口１１を通過し、バックヤード４に用意された台車１８などに排出される。したがって、集荷物８は集荷物貯蔵部７に溜め込まれることなく、集荷物投入ロッカー１の効率的な運用を図ることができる。
【００２３】
一方、夜間など従業員がいない時間帯には、ロッカースペース３ａのみ顧客が出入りできるようにシャッター１７等で店舗スペース３内が区画される。そして集荷物投入ロッカー１のガイド板１３は直立状態で配置されて集荷物取出口１１が閉鎖され、集荷物投入口６から投入された集荷バック８はロッカー１内の集荷物貯蔵部７に溜め込まれる。なお、ロッカー１内が集荷バック８で満杯になった場合には、ロッカー１内の集荷物投入量感知手段１５が信号を出力し、荷物等自動管理ロッカー装置１０の制御部１０ａが投入口扉９を開錠不可の状態にして集荷物８の投入はできないようになる。
【００２４】
そして、集荷バック８内の洗濯物は業者によってクリーニングされた後に荷物等自動管理ロッカー装置１０に配達される。顧客は、荷物等自動管理ロッカー装置１０のタッチパネル１０ｂを操作して認証作業を行い、受け取りメニューを選択する。そして、顧客は洗濯物（仕上がり品）が収納された所定のロッカーを開錠し、クリーニングされた洗濯物を受け取る。なお、顧客が仕上がり品を受け取った旨の情報は、荷物等自動管理ロッカー装置１０の制御部から管理者のデータベースに送信される［図７参照］。
【００２５】
＜第２実施形態＞
図６は、第２実施形態の集荷物投入ロッカー１ａを示した図である。第２実施形態の集荷物投入ロッカー１ａは集荷物取出口１１を背面扉１９によって閉鎖する構成であり、ロッカー内にガイド板１３が設けられていない点で第１実施形態と異なる。また第２実施形態では、集荷物投入ロッカー１正面側の下側扉１２を設けることなく、常時バックヤード４側から集荷物８を回収するようにしてもよい。なお、第２実施形態で第１実施形態と同一の構成には同一符号を付して重複説明を省略する。
【００２６】
以上、本発明の集荷物投入ロッカーを図示の実施形態に基いて説明してきたが、本発明の特許請求の範囲は前記実施形態に限定されるものではない。例えば、第１実施形態の集荷物投入ロッカーにおいて、ガイド板をヒンジで連結することなく独立させて、ロッカー内に設けた挿入溝にガイド板を差し込んで傾斜状態と直立状態とを選択できるようにしてもよい［図示を省略する］。また、本発明の集荷物は洗濯物に限定されることなく、レンタルビデオ、図書などの集荷に利用することも可能である。
【００２７】
【発明の効果】
本発明の集荷物投入ロッカーは、通常の営業時間帯にバックヤードから集荷物の回収を可能としたことにより、▲１▼ロッカー内に集荷物を溜め込むことなく、▲２▼集荷物回収の手間を抑え、▲３▼回収時の作業性が向上するという効果を奏する。
【００２８】
また本発明の集荷物投入ロッカーは、夜間の無人状態におけるロッカーの運用にも対応し、かつ夜間の無人状態におけるバックヤードの防犯性を確保できる。
【図面の簡単な説明】
【図１】集荷物投入ロッカーおよび荷物等自動管理ロッカー装置を配置した店舗の様子を示した参考斜視図である。
【図２】図１に対応する店舗間取図である。
【図３】（ａ）は第１実施形態の集荷物投入ロッカーの正面図であって、（ｂ）はその背面図である。
【図４】第１実施形態の集荷物投入ロッカーの下側扉を開けた状態の斜視図である。
【図５】（ａ）は第１実施形態の集荷物投入ロッカーにおけるガイド板の傾斜状態を示す側面図であり、（ｂ）はガイド板の直立状態を示す側面図である。
【図６】第２実施形態の集荷物投入ロッカーの側面図である。
【図７】洗濯物の仕上がり品受取時の状況を示すフローチャートである。
【符号の説明】
１，１ａ　集荷物投入ロッカー
２　　　仕切り壁
３　　　店舗スペース
３ａ　　ロッカースペース
４　　　バックヤード（従業員専用スペース）
５　　　仕切り板
５ａ　　折り返し部
５ｂ　　回転蓋
６　　　集荷物投入口
７　　　集荷物貯蔵部
８　　　集荷物（集荷バック）
９　　　投入口扉
１０　　荷物等自動管理ロッカー装置
１０ａ　制御部
１０ｂ　タッチパネル
１１　　集荷物取出口
１２　　下側扉
１３　　ガイド板
１４　　ヒンジ
１５　　集荷物投入量感知手段
１６　　ＤＰＥ回収部
１６ａ　受け底
１７　　シャッター
１８　　台車
１９　　背面扉
２０　　カウンター
【図１】
2004136025.tif 000003
【図２】
2004136025.tif 000004
【図３】
2004136025.tif 000005
【図４】
2004136025.tif 000006
【図５】
2004136025.tif 000007
【図６】
2004136025.tif 000008
【図７】
2004136025.tif 000009